(57)【要約】【課題】従来のアルミサッシ等の施錠は（プレセント）錠のみで行われていたが（一部二重施錠構造）これでは錠の周辺を破壊されると簡単に錠を開錠する事が出来、盗難等による安全性が低いので安全性を高める為既存で取付けられているプレセント錠だけでは開閉部が開けられない電子錠装置を提供する。【解決手段】本考案の電子錠装置は開閉部を有する建具の内部また外部にも取付けが可能で複数の開錠信号を与えないと開錠する事が容易に出来ず錠の周辺を破壊して（プレセント）錠を開錠しても開閉部は開くことが無くより安全性の高い電子錠装置である。【選択図】　　　図２
0003097193.tif 000002
【実用新案登録請求の範囲】
【請求項１】
開閉部を有する建具に取付ける電子錠装置で、複数の信号を入力する事によって、前もって設定してある信号と合致する事により電子錠が施錠し、開錠する事を特徴とする。
【考案の詳細な説明】
【０００１】
【考案の属する技術分野】
本考案は、安全性に優れた電子錠装置に関する。
【０００２】
【従来の技術】
従来の開閉部を有する建具は（プレセント）錠等のみで施錠されているものが一般的に使用されている。
【０００３】
また、現在の施錠方法では、錠の周辺を破壊して錠の開閉をされてしまう可能性があり非常に危険である。
【０００４】
【考案が解決しようとする課題】
現在の錠においては、錠の周辺を破壊して錠の開閉をされてしまう、そのことによって簡単に盗難等の問題が発生している事を課題にした。
【０００５】
【課題を解決するための手段】
本考案の電子錠装置の内部には電子錠が組み込まれておりこの電子錠の可動鉄心部が開閉部を有する建具の開閉する可動部分に相互に挿入され開閉部を有する建具の可動部分を動かなくする構造になっています。この電子錠を開錠するには、予め設定してある複数の信号と合致した信号を電子錠装置に与えることによって開錠信号が電子錠に伝達され電子錠は開錠される、さらに従来取付けられている（プレセント）錠等を開錠する事によってこの開閉部を有する建具を開ける事が出来る構造になっております。
【０００６】
【考案の実施の形態】
図１は本考案による電子錠を組込んだ電子錠装置の一例を示す概略構成図です。
【０００７】
電子錠装置は本体１、半導体集積回路２、乾電池３、電子錠（モーター）４、可動鉄心５によって構成されています。
【０００８】
図１に示すように電子錠装置本体１を取付ける為にアルミサッシ６ａ及び６ｂに任意の穴７，８を設ける、これは電子錠４の可動鉄心部５が挿入される穴である。なお電子錠装置本体１をアルミサッシ６ａに固定する為の穴ａ，ｂ，ｃ，ｄにねじ等によって固定します。
【０００９】
また、この電子錠４を開錠する信号を作り出す為、図４に示す信号発生用スイッチ９と１０が取付けられております。この信号発生用スイッチ９，１０によって半導体集積回路２に予め設定してある信号と合致する信号が入力されると半導体集積回路２内で情報処理され電子錠４に開錠信号が送られ電子錠４に連動されている可動鉄心部５が作動し図３の状態になり開錠します。
【００１０】
さらに、既存に取付けられているプレセント錠を開錠する事によってこのアルミサッシ６ａ，６ｂは開ける事が出来る構造になっております。
【００１１】
【考案の効果】
この本考案の電子錠装置は開閉部を有する建具の内部にも取り付け可能な上、外部取付けも簡単に取付けできる構造になっております。この様に簡単な構造で取付けも容易で、低コストで高い安全性が得られる、また半導体集積回路を有している事により一品一様の信号を取り出す事ができ、より安全な電子錠装置を提供する事ができる。
【図面の簡単な説明】
【図１】電子錠装置の内部構造図である。
【図２】電子錠の可動鉄心部が閉状態を示す図である。
【図３】電子錠の可動鉄心部が開状態を示す図である。
【図４】電子錠装置の外観図である。
【符号の説明】
１　　電子錠装置本体
２　　半導体集積回路
３　　乾電池
４　　電子錠（モーター）
５　　可動鉄心部
６ａ　アルミサッシ筐体
６ｂ　アルミサッシ筐体
７　　可動鉄心部通し穴
８　　可動鉄心部通し穴
９　　信号発生用スイッチ
１０　信号発生用スイッチ
ａ　　取付け穴
ｂ　　取付け穴
ｃ　　取付け穴
ｄ　　取付け穴
【図１】
0003097193.tif 000003
【図２】
0003097193.tif 000004
【図３】
0003097193.tif 000005
【図４】
0003097193.tif 000006
【手続補正書】
【提出日】平成15年5月28日(2003.5.28)
【手続補正１】
【補正対象書類名】明細書
【補正対象項目名】全文
【補正方法】変更
【補正の内容】
【考案の詳細な説明】
【実用新案登録請求の範囲】
【請求項１】電子錠装置の本体に可動鉄心棒を設け、該可動鉄心棒を半導体集積回路と、該半導体集積回路に接続した信号発生スイッチ及び正逆回転自在のモーターとで、扉枠の可動鉄心棒の通し穴に着脱自在に係合したことを特徴とする電子錠装置。
【考案の詳細な説明】
【０００１】
【考案の属する技術分野】
この考案は、扉を施錠解錠する電子錠装置に係るものである。
【０００２】
【従来の技術】
従来の錠は、機械構造の錠を鍵で施錠と解錠を行うものが一般に使用されている。
【０００３】
【考案が解決しようとする課題】
この従来の機械構造の錠では、錠の周辺部の扉を破壊して機械構造の解錠して解錠した扉を開けて侵入者が侵入するおそれがあるので、非常に危険であるいう問題点があったし、盗難等の問題が発生するおそれがあるいう問題点があった。
【０００４】
この考案は従来の機械構造の錠が有するこれらの問題点を解消し、錠の周辺部の扉を破壊しても解錠できないことや施錠した扉を開けられにくくするこにより侵入による危険性を防ぐこと、そして盗難等を防ぐことなどを目的としたものである。
【０００５】
【課題を解決するための手段】
この考案の電子錠装置は、本体に可動鉄心棒を設け、この可動鉄心棒を半導体集積回路と、この半導体集積回路に接続した信号発生スイッチ及び正逆回転自在のモーターとで、扉枠の可動鉄心棒の通し穴に着脱自在に係合したものである。
【０００６】
この考案の電子錠装置は、本体に可動鉄心棒を設け、この可動鉄心棒を半導体集積回路と、この半導体集積回路に接続した信号発生スイッチ及び正逆回転自在のモーターとで、扉枠の可動鉄心棒の通し穴に着脱自在に係合したから、この信号発生スイッチにより半導体集積回路に予め設定した信号が入力されると、半導体集積回路内で情報処理されるために電子錠に開錠信号が送られてモーターが回転されのにともなって可動鉄心棒は扉枠の可動鉄心棒の通し穴から引出されたり、挿入されたりして電子錠が解錠、施錠される。
【０００７】
【考案の実施の形態】
【実施例】
図１と図４に図示したように、電子錠装置の本体１に、扉枠の可動鉄心棒の通し穴に着脱自在に可動する可動鉄心棒２を、設け、この可動鉄心棒２を半導体集積回路３と半導体集積回路３に接続した２個の信号発生スイッチ４．５と正逆回転自在のモーター６そして乾電池７とで、扉枠の可動鉄心棒の通し穴８に着脱自在に係合した電子錠装置９である。
【０００８】
この電子錠装置９を実際に使用する時は、図２に図示したように、電子錠装置の可動鉄心棒２がアルミサッシの戸扉１０に設けてある可動鉄心棒の通し穴１１に貫通するように電子錠装置９をアルミサッシの戸扉１０にねじ（図示せず）で４個のねじ穴１２を用いて取付けるとともにこの可動鉄心棒２を扉枠１３の可動鉄心棒の通し穴８に挿入して施錠する。
この電子錠装置９を解錠する時は、図４に図示の信号発生スイッチ４と信号発生スイッチ５により予め設定してある複数の信号、例えば信号発生スイッチ４を２回押し、信号発生スイッチ５を２回押して更に信号発生スイッチ４を１回押し、信号発生スイッチ５を２回押すという解錠信号を半導体集積回路３に送ることにより半導体集積回路３はモーター６を正回転させ、モーター６の回転により回転体６′が回転して可動鉄心棒２が図２から図３の状態に移動し、電子錠装置９は解錠する。
【０００９】
この電子錠装置９を解錠した後に再び施錠する時は、前記の操作を繰り返すことにより前記とは逆に半導体集積回路３はモーター６を逆回転させ、可動鉄心棒２が図３から図２の状態に移動し、電子錠装置９は施錠する。
【００１０】
【考案の効果】
この考案の電子錠装置は、可動鉄心棒を設け、この可動鉄心棒を半導体集積回路と、この半導体集積回路に接続した信号発生スイッチ及び正逆回転自在のモーターとで、扉枠の可動鉄心棒の通し穴に着脱自在に係合したから、電子錠装置を扉にねじなどで簡単に取付けることができるし、高い安全性が得られる。また半導体集積回路を有している事により一品一様の信号を採用することができる。更に予め設定してある複数の信号を送なければ解錠することができないために錠の周辺部の扉を破壊しても解錠できないという効果があるとともに施錠した扉を開けられにくくするこにより侵入による危険性を防ぐことができるし、盗難等を防ぐことができる。
【図面の簡単な説明】
【図１】本考案品の正面カバーを取外した正面図である。
【図２】同じく要部の拡大断面図である。
【図３】同じく要部の作動後の拡大断面図である。
【図４】同じく正面図である。
【符号の説明】
１　　電子錠装置本体
２　　可動鉄心棒
３　　半導体集積回路
４　　信号発生スイッチ
５　　信号発生スイッチ
６　　モーター
８　　可動鉄心棒の通し穴
９　　電子錠装置
【手続補正２】
【補正対象書類名】図面
【補正対象項目名】全図
【補正方法】変更
【補正の内容】
【図１】
0003097193.tif 000007
【図４】
0003097193.tif 000008
【図２】
0003097193.tif 000009
【図３】
0003097193.tif 000010